(57)【要約】      （修正有）【課題】簡単な制御で、画像形成装置の近傍および離れた位置の浄化を切り替えて行うことができる画像形成装置を提供する。【解決手段】画像形成本体部Ａと、清浄化エアー放出部Ｂとを備え、清浄化エアー放出部Ｂは、第１ダクト口１０ｂおよび第２ダクト口１０ｃと、ダクト体内に配置された正逆回転可能な送風ファン２０およびイオン発生器を有し、送風ファン２０を正／逆回転に切り替えることにより、外気を第１ダクト口１０ｂまたは第２ダクト口１０ｃからダクト体内に導入し、かつイオン発生器によって発生させたイオンを含む清浄化エアーを第２ダクト口１０ｃまたは第１ダクト口１０ｂから外部へ放出するように構成され、第１ダクト口１０ｂは画像形成本体部Ａから離れたエリアに清浄化エアーを放出できるように配置され、第２ダクト口１０ｃは画像形成本体部Ａの近傍のエリアに清浄化エアーを放出できるように配置されたことを特徴とする画像形成装置。【選択図】図２
2011059409.tif 000002
【特許請求の範囲】
【請求項１】
画像形成本体部と、この画像形成本体部に取り付けられた清浄化エアー放出部とを備え、
清浄化エアー放出部は、第１ダクト口および第２ダクト口を有するダクト体と、ダクト体内に配置された正逆回転可能な送風ファンおよびイオン発生器を有し、送風ファンを正回転と逆回転のいずれかに切り替えることにより、外気を第１ダクト口または第２ダクト口からダクト体内に導入し、かつイオン発生器によってダクト体内で発生させたイオンを含む清浄化エアーを第２ダクト口または第１ダクト口から外部へ放出するように構成され、
第１ダクト口は画像形成本体部から離れたエリアに清浄化エアーを放出できるように配置され、第２ダクト口は画像形成本体部の近傍のエリアに清浄化エアーを放出できるように配置されたことを特徴とする画像形成装置。
【請求項２】
清浄化エアー放出部を制御する制御部をさらに備え、制御部は、画像形成本体部の状態に応じてイオン発生器と送風ファンを制御する請求項１に記載の画像形成装置。
【請求項３】
制御部が、画像形成本体部の電源のオンとオフの状態および画像形成本体部の作動と待機の状態に応じて、清浄化エアー放出部のオンとオフが切り替わるよう制御する機能および送風ファンの回転方向が切り替わるよう制御する機能を有する請求項２に記載の画像形成装置。
【請求項４】
制御部が、画像形成本体部の電源のオフからオンへの切り替え時および画像形成本体部の作動時に、優先的に清浄化エアーを第２ダクト口から放出するよう送風ファンの回転方向を制御する請求項３に記載の画像形成装置。
【請求項５】
画像形成本体部が、その正面側の上部に操作パネルを有し、
清浄化エアー放出部は、画像形成本体部の上方かつ正面とは反対側の後方位置に、支持部材を介して画像形成本体部に取り付けられ、第１ダクト口を上面位置に有し、かつ第２ダクト口を正面位置に有している請求項１〜４のいずれか１つに記載の画像形成装置。
【請求項６】
第１ダクト口は、画像形成本体部の正面に対する左右方向の長さが第２ダクト口の長さと等しく、かつ左右方向と直交する方向の幅が第２ダクト口の幅よりも狭い大きさに形成されている請求項５に記載の画像形成装置。
【請求項７】
イオン発生器が、空気中にプラスイオンとマイナスイオンを発生させるように構成されると共に、送風ファンよりも第１ダクト口側に配置されている請求項１〜６のいずれか１つに記載の画像形成装置。
【請求項８】
送風ファンがクロスフローファンからなり、
清浄化エアー放出部が、ダクト体内における送風ファンよりも第１ダクト口側または第２ダクト側に攪乱部材をさらに有し、攪乱部材を通過する空気の流れを攪乱するように構成された請求項７に記載の画像形成装置。
【請求項９】
ダクト体は、湾曲形状のダクトを有すると共に、第１ダクト口と第２ダクト口の間に外気をダクト体内に吸引するための吸引口を有し、
イオン発生器は、ダクトの湾曲形状の内側で、かつダクト体の吸引口の近傍に配置された配置された請求項１〜８のいずれか１つに記載の画像形成装置。
【請求項１０】
清浄化エアー放出部が、ダクト体を覆う外装ケースをさらに有し、
イオン発生器が、ダクト体の外側に配置され、
外装ケースが、イオン発生器の近傍に形成されて吸引口と連通する外気取り入れ口と、外気取り入れ口に設けられたフィルターとを有する請求項９に記載の画像形成装置。
【請求項１１】
吸引口にフィルターが設けられた請求項９または１０に記載の画像形成装置。
【発明の詳細な説明】
【技術分野】
【０００１】
本発明は、画像形成本体部と清浄化エアー放出部とを備えた画像形成装置に関する。
【背景技術】
【０００２】
複写機、プリンタ、ファクシミリ等の電子写真方式の画像形成装置は、例えば、静電潜像を感光体ドラム表面に形成し、トナーにより現像して感光体ドラム表面にトナー像を形成し、このトナー像を感光体ドラムから記録用紙に転写し、加熱および加圧してトナー像を記録用紙上に定着させることで、記録用紙に画像を形成する装置である。
例えば、従来技術として、複数の換気窓が形成されたケーシングを有する画像形成本体部と、この本体のケーシング内の各換気窓の近傍に設けられた複数の第１清浄化エアー放出部および１つの第２清浄化エアー放出部とを備えた画像形成装置が知られている（例えば、特許文献１参照）。
第１清浄化エアー放出部は、マイナスイオン発生部と、プラスに帯電されたフィルターとを有する第１プラズマ集塵部を備える。
第２清浄化エアー放出部は、マイナスイオン発生部、プラスに帯電されたフィルターおよびオゾン除去フィルターを有する第２プラズマ集塵部と、マイナスイオン供給部とを備える。
【０００３】
画像形成本体部は、内部に冷却ファンを備えており、冷却ファンが回転することによって、外気が換気窓から第１清浄化エアー放出部を介してケーシング内へ流入する。この際、第１清浄化エアー放出部は、外気中の塵埃、カビ、ウィルス、タバコ臭、煙等を除去し、これらの微粒子状異物を除去した清浄化エアーをケーシング内へ導入する。これによって、微粒子状異物が画像形成に悪影響を与えることが防止される。
第２清浄化エアー放出部は、ケーシング内で生じた塵埃、カビ、トナー粉等を除去してケーシング内の空気を清浄化すると共に、マイナスイオンを含む清浄化エアーを換気窓から外部に放出する。
【先行技術文献】
【特許文献】
【０００４】
【特許文献１】特開２００５−４１４４号公報
【発明の概要】
【発明が解決しようとする課題】
【０００５】
前記従来の画像形成装置は、マイナスイオンを含む清浄化エアーを換気窓から外部に放出して画像形成装置の近傍エリアの空気を浄化するように構成されているが、画像形成装置から離れた室内の広いエリアの空気まで浄化するようには構成されていない。
一方、各種オフィスには空気清浄機が普及しており、画像形成装置と空気清浄機の両方を併設している場合も多いため、これらのオフィスにとっては経済的な負担が大きくなっている。この場合、空気清浄機による空気浄化は、室内の広いエリアの空気を浄化することが主たる目的であり、画像形成装置の近傍や、画像形成装置のユーザーが操作する箇所を積極的に浄化することを主眼に置いていない。
【０００６】
また、ユーザーとしては、室内の広いエリアの空気浄化は空気清浄機によって行うことが当然であるとの考えをもつことが一般的であったため、空気清浄機と画像形成装置との併設による経済的な負担増についてはあまり意識していなかったと思われる。
しかしながら、オフィス機器の購入費用の増加および設置スペースの増加はユーザーにとって大きな負担となるため、ユーザーおよびオフィス機器の供給者側はユーザー負担を軽減できる新しい提案を常に求めている。
【０００７】
本発明は、上述の課題に鑑みてなされたものであり、簡単な制御で、画像形成装置の近傍および離れた位置の浄化を切り替えて行うことができる画像形成装置を提供することを目的とする。
【課題を解決するための手段】
【０００８】
かくして、本発明によれば、画像形成本体部と、この画像形成本体部に取り付けられた清浄化エアー放出部とを備え、清浄化エアー放出部は、第１ダクト口および第２ダクト口を有するダクト体と、ダクト体内に配置された正逆回転可能な送風ファンおよびイオン発生器を有し、送風ファンを正回転と逆回転のいずれかに切り替えることにより、外気を第１ダクト口または第２ダクト口からダクト体内に導入し、かつイオン発生器によってダクト体内で発生させたイオンを含む清浄化エアーを第２ダクト口または第１ダクト口から外部へ放出するように構成され、第１ダクト口は画像形成本体部から離れたエリアに清浄化エアーを放出できるように配置され、第２ダクト口は画像形成本体部の近傍のエリアに清浄化エアーを放出できるように配置された画像形成装置が提供される。
【発明の効果】
【０００９】
本発明に係る画像形成装置によれば、次の効果を奏する。
〔１〕画像形成本体部の状態に応じて、清浄化エアー放出部の送風ファンを正回転と逆回転のいずれかに切り替え、外気を第１ダクト口または第２ダクト口からダクト体内に導入し、かつイオン発生器によってダクト体内で発生させたイオンを含む清浄化エアーを第２ダクト口または第１ダクト口から外部へ放出することができる。
これにより、第１ダクト口から放出した清浄化エアーによって画像形成本体部から離れたエリアを浄化できると共に、第２ダクト口から放出した清浄化エアーによって画像形成本体部の近傍のエリアを浄化できる。
【００１０】
〔２〕清浄化エアー放出部は、送風ファンの回転方向の切り替えにより風向を切り替える構成であるため、ルーバーのような風向を切り替える風向制御機構が不要であり、簡素な構造および制御による風向の切り替えが可能となる。
〔３〕本発明に係る画像形成装置をオフィスに設置することにより、空気清浄機を併設せずに済むため、空気清浄機の購入費用の増加および設置スペースの増加といったユーザーの負担を軽減することができる。
【図面の簡単な説明】
【００１１】
【図１】図１は本発明に係る画像形成装置の実施形態１を示す斜視図である。
【図２】図２は本発明の実施形態１における画像形成本体部の正面から見た構成図である。
【図３】図３は本発明の実施形態１における清浄化エアー放出部を示す側断面図である。
【図４】図４は本発明の実施形態１における清浄化エアー放出部から放出された清浄化エアーの流れを示す図である。
【図５】図５は本発明の実施形態１における攪乱部材を説明する図であって、図５（Ａ）は斜視図であり、図５（Ｂ）は図５（Ａ）のＡ−Ａ線断面図であり、図５（Ｃ）は図５（Ａ）のＢ−Ｂ線断面図である。
【図６】図６は本発明の実施形態１における清浄化エアー放出部の動作フローの一例を説明するフローチャート図である。
【図７】図７は本発明に係る画像形成装置の実施形態２を示す概略右側面図である。
【図８】図８は本発明に係る画像形成装置の実施形態３を示す部分的な斜視図である。
【図９】図９は本発明に係る画像形成装置の実施形態４を示す概略右側面図である。
【図１０】図１０は本発明に係る画像形成装置の実施形態５を示す概略右側面図である。
【発明を実施するための形態】
【００１２】
本発明に係る画像形成装置は、画像形成本体部と、この画像形成本体部に取り付けられた清浄化エアー放出部とを備え、清浄化エアー放出部は、第１ダクト口および第２ダクト口を有するダクト体と、ダクト体内に配置された正逆回転可能な送風ファンおよびイオン発生器を有し、送風ファンを正回転と逆回転のいずれかに切り替えることにより、外気を第１ダクト口または第２ダクト口からダクト体内に導入し、かつイオン発生器によってダクト体内で発生させたイオンを含む清浄化エアーを第２ダクト口または第１ダクト口から外部へ放出するように構成され、第１ダクト口は画像形成本体部から離れたエリアに清浄化エアーを放出できるように配置され、第２ダクト口は画像形成本体部の近傍のエリアに清浄化エアーを放出できるように配置されている。
【００１３】
ここで、「第１ダクト口は画像形成本体部から離れたエリアに清浄化エアーを放出できるように配置され」とは、例えば、画像形成本体部から清浄化エアーが流れる方向に１ｍ以上離れたエリアまで清浄化エアーを送風できるように、第１ダクト口の位置、向き、形状、大きさ、数等が設定されていることを意味している。この場合、清浄化エアーを室内の天井に沿って遠方まで流すようにしてもよい。以下、「画像形成本体部から離れたエリア」を「遠方エリア」と言うことがある。
また、「第２ダクト口は画像形成本体部の近傍のエリアに清浄化エアーを放出できるように配置され」とは、例えば、画像形成本体部および画像形成本体部から清浄化エアーが流れる方向に１ｍ以内のエリアに清浄化エアーを送風することができるように、第２ダクト口の位置、向き、形状、大きさ、数等が設定されていることを意味している。以下、「画像形成本体部の近傍のエリア」を「近傍エリア」と言うことがある。
【００１４】
イオン発生器によってダクト内で発生するイオンとしては、プラスイオンのみでも、あるいはマイナスイオンのみでもよいが、プラスイオンとマイナスイオンの両方が含まれていることが、除菌および消臭を含む浄化をより効果的に行い得る上で好ましい。
また、送風ファンとしては、その回転方向の切り替えによって清浄化エアーを第１ダクト口と第２ダクト口の双方向に送風することができるものであれば特に限定されず、例えば、クロスフローファン、正逆双方向型軸流ファン（所謂ジェットファン）などを用いることができる。
【００１５】
本発明において、画像形成本体部は、例えば、入力された画像データに基いて記録用紙に画像を印刷する機能、原稿から読み取った画像データに基いて記録用紙に原稿画像を複写する複写機能、原稿から読み取った画像データを外部のＰＣ（パーソナルコンピュータ）へ転送する機能、および原稿から読み取った画像データまたは入力された画像データを送信しかつ受信した画像データに基いて記録用紙に画像を印刷するファクシミリ機能のうち、１つ以上の機能を備える。
また、画像形成本体部は、電子写真方式とインクジェット方式のいずれであってもよい。
【００１６】
この画像形成装置は次のように構成されてもよい。
（１）清浄化エアー放出部を制御する制御部をさらに備え、制御部は、画像形成本体部の状態に応じてイオン発生器と送風ファンを制御する。
このようにすれば、画像形成装置の状態、例えば、電源のオンとオフの状態、作動と待機の状態などに応じて、画像形成本体部から離れた広いエリアの浄化（除菌および消臭）と、画像形成本体部の近傍の局所的エリアの浄化（除菌および消臭）とに切り替えることが可能となる。
【００１７】
（２）制御部が、画像形成本体部の電源のオンとオフの状態および画像形成本体部の作動と待機の状態に応じて、清浄化エアー放出部のオンとオフが切り替わるよう制御する機能および送風ファンの回転方向が切り替わるよう制御する機能を有する。
このようにすれば、画像形成本体部の４つの状態に応じて、遠方エリアの浄化と近傍エリアの浄化のいずれかを選択的に行うことができ、かつ清浄化エアー放出部のオンとオフを自動的に行うことができる。
【００１８】
（３）制御部が、画像形成本体部の電源のオフからオンへの切り替え時および画像形成本体部の作動時に、優先的に清浄化エアーを第２ダクト口から放出するよう送風ファンの回転方向を制御する。
このようにすれば、ユーザーが画像形成本体部を使用する直前および使用時に、近傍エリアの浄化を行うことができるため、ユーザーは清潔な画像形成本体部を使用することができると共に、画像形成本体部から排出ガスが排出されるのと同時に排出ガスの消臭を行うことができるため、排出ガスの臭気が室内に広がるのを効果的に抑制することができる。
【００１９】
（４）画像形成本体部が、その正面側の上部に操作パネルを有し、清浄化エアー放出部は、画像形成本体部の上方かつ正面とは反対側の後方位置に、支持部材を介して画像形成本体部に取り付けられ、第１ダクト口を上面位置に有し、かつ第２ダクト口を正面位置に有している。
このようにすれば、清浄化エアー供給部は、画像形成本体部の上部の原稿載置台の開閉扉または開閉可能な原稿供給部の開閉の邪魔とならずに、画像形成本体部に取り付けることができる。
また、第１ダクト口から放出する清浄化エアーを遠方エリアに容易に送風でき、かつ第２ダクト口から放出する清浄化エアーを近傍エリアに容易に送風でき、さらに、第２ダクト口から放出された清浄化エアーによって、ユーザーの手で触れられる操作パネルや原稿供給部の把持部といった画像形成本体部の上部を効果的に除菌することができる。
【００２０】
（５）第１ダクト口は、画像形成本体部の正面に対する左右方向の長さが第２ダクト口の長さと等しく、かつ左右方向と直交する方向の幅が第２ダクト口の幅よりも狭い大きさに形成されている。
このようにすれば、送風ファンの正回転の出力と逆回転の出力が同じであっても、第１ダクト口から放出する清浄化エアーの到達距離を、第２ダクト口から放出する清浄化エアーの到達距離よりも長くすることができる。よって、第１ダクト口から清浄化エアーを放出するよう送風ファンの回転方向を切り替える際に、回転出力を変更する制御をせずに浄化可能な遠方エリアを拡大することができる。
【００２１】
（６）イオン発生器が、空気中にプラスイオンとマイナスイオンを発生させるように構成されると共に、送風ファンよりも第１ダクト側に配置されている。
プラスイオンとマイナスイオンを発生させるイオン発生器としては、プラズマ放電により空気中の酸素および水蒸気を電離して、プラスイオンであるＨ+（Ｈ2Ｏ）n（ｎは自然数）およびマイナスイオンであるＯ2-（Ｈ2Ｏ）m（ｍは自然数）を発生させる、所謂プラズマクラスターイオン発生器を用いることができる。
なお、このプラズマクラスターイオン発生器により発生したプラスイオンとマイナスイオンは、水素イオン（Ｈ+）または酸素イオン（Ｏ2-）の周囲に複数の水分子が付随した形態、所謂クラスターイオンの形態をなしている。
【００２２】
プラズマクラスターイオン発生器によれば、空気中に放出されたプラスイオンとマイナスイオンが化学反応し、活性物質としての過酸化水素水（Ｈ2Ｏ2）または水酸基ラジカル（・ＯＨ）となり、浮遊粒子または浮遊細菌から水素を抜き取る酸化反応を行うことで、浮遊粒子を不活性化することまたは浮遊細菌を殺菌することができる。
【００２３】
また、イオン発生器が、送風ファンよりも第１ダクト側に配置されていることにより、次のような作用が生じる。
第２ダクト口から清浄化エアーを放出する場合、プラスイオンとマイナスイオンとを含んだ空気（清浄化エアー）が送風ファンを通過する際、プラスイオンとマイナスイオンが均一に混ざり合うため、近傍エリアにおいてプラスイオンとマイナスイオンとの相乗効果による高い浄化作用を得ることができる。
一方、第１ダクト口から清浄化エアーを放出する場合、清浄化エアーが遠方エリアに到達する過程でプラスイオンとマイナスイオンが均一に混ざり合うため、遠方エリアにおいても高い浄化作用を得ることができる。
【００２４】
（６）送風ファンがクロスフローファンからなり、清浄化エアー放出部が、ダクト体内における送風ファンよりも第１ダクト口側または第２ダクト側に攪乱部材をさらに有し、攪乱部材を通過する空気の流れを攪乱するように構成される。
クロスフローファンは、その回転軸と直交する方向に気流を発生させることができるため、クロスフローファンを左右方向に配置し、かつ左右方向に長い第１・第２ダクト口を有する横型の清浄化エアー放出部を画像形成本体部に取り付けることができる。
よって、前記（３）の場合には、画像形成本体部の上方後方位置に横型の清浄化エアー放出部が配置されて見栄えがよく、かつ第１・第２ダクト口からより広い範囲に亘って清浄化エアーを放出することができる。
また、クロスフローファンの回転は、ダクト体内で清浄化エアーを層流状に流すが、攪乱部材によって空気の流れが攪乱されるため、イオン発生器にて発生したイオンがダクト体内の空気と混ざり易くなる。この結果、均一に分散したイオンを含む清浄化エアーを第１または第２ダクト口から外部に放出することができるため、特に、プラスイオンとマイナスイオンの混合が不均一となって浄化作用が低下してしまうことを抑制するのに有効である。
【００２５】
（７）ダクト体は、湾曲形状のダクトを有すると共に、第１ダクト口と第２ダクト口の間に外気をダクト体内に吸引するための吸引口を有し、イオン発生器は、ダクトの湾曲形状の内側で、かつダクト体の吸引口の近傍に配置される。
このようにすれば、送風ファンが回転することによって湾曲したダクト体内を空気が通過すると、ダクト体内の空気の流れの作用で、ダクト体内の内側はダクト体外よりも圧力が低下するために、吸引口付近に吸引圧が生じる。そのため、イオン発生器によって生じたイオンが、吸引口からダクト体内に流入する外気によってダクト体内に容易かつ効率的に導入される。また、ダクトの湾曲形状の内側は、空き空間になっているので、ここに、イオン発生器を配置することで、清浄化エアー放出部の寸法が大となるのを抑制できる。
【００２６】
（８）清浄化エアー放出部が、ダクト体を覆う外装ケースをさらに有し、イオン発生器が、ダクト体の外側に配置され、外装ケースが、イオン発生器の近傍に形成されて吸引口と連通する外気取り入れ口と、外気取り入れ口に設けられたフィルターとを有する。
このようにすれば、前記（７）の場合に、高電圧が印加されるイオン発生器を外部に露出させることがないため安全であると共に、外気取り入れ口からイオン発生器を通って吸引口へ流れる外気はフィルターで塵埃が除去されているため、イオン発生器に塵埃を付着させ難くなり、イオン発生器のメンテナンスを低減することができる。
【００２７】
（９）吸引口にフィルターが設けられている。
このようにすれば、ダクトとイオン発生器とがフィルターによって遮断されるため、ダクト内の空気中の塵埃をイオン発生器に付着させ難くなり、イオン発生器のメンテナンスを低減することができる。特に、前記（７）の場合、送風ファンが停止している間は、外気が吸引口を通ってダクト内に流れないため、第１・第２ダクト口からダクト内に入った塵埃がイオン発生器に付着するが、吸引口にフィルターを設けることによりダクト内の塵埃をイオン発生器に付着させ難くすることができる。
【００２８】
以下、図面を参照しながら本発明に係る画像形成装置の実施形態を詳説する。
【００２９】
（実施形態１）
図１は本発明に係る画像形成装置の実施形態１を示す斜視図である。図２は本発明の実施形態１における画像形成本体部の正面から見た構成図である。
図１および図２に示すように、本発明の画像形成装置は、画像形成本体部Ａと、この画像形成本体部Ａに取り付けられた清浄化エアー放出部Ｂと、清浄化エアー放出部Ｂを制御する制御部ｃとを備える。
【００３０】
＜画像形成本体部の説明＞
この実施形態では、画像形成本体部Ａとして、入力された画像データに基いて記録用紙に画像を印刷する機能、原稿から読み取った画像データに基いて記録用紙に原稿画像を複写する複写機能、および原稿から読み取った画像データをＰＣ（パーソナルコンピュータ）といった外部機器へ送信する機能を備える電子写真式の複合機を代表例として説明する。
【００３１】
図１に示すように、画像形成本体部Ａは、原稿供給部１００と、原稿読取部２００と、画像形成部３００と、給紙部４００と、排紙部５００とを備え、原稿読取部２００と画像形成部３００と給紙部４００はケーシングＣの内部に収容されている。
【００３２】
〔原稿供給部〕
原稿供給部１００は、原稿がセットされる原稿セットトレイ１０１と、排紙トレイ１０２と、原稿を原稿セットトレイ１０１から排紙トレイ１０２へ送る原稿搬送部１０３とを有し、前記ケーシングＣの上面の後部側に開閉可能に枢支されている。
この原稿供給部１００において、原稿セットトレイ１０１にセットされた原稿は、原稿搬送部１０３によって読取ガラス２０１を通過して排紙トレイ１０２に排出される。
【００３３】
〔原稿読取部〕
原稿読取部２００は、前記読取ガラス２０１と、光源およびミラーを有する第１走査部２０２と、ミラーを有する第２走査部２０３と、結像レンズ２０４と、ＣＣＤ（Charge Coupled Device）２０５とを備え、読取りガラス２０１を介して原稿表面に光を照射し、その反射光をＣＣＤ２０５上に結像することにより原稿の画像を画像データに変換する。
また、原稿供給部１００が開かれると、原稿台ガラス２０６が解放されるため、原稿台ガラス２０６上に原稿を載置することにより、原稿読取部２００にて原稿台ガラス２０６上の原稿を読取ることもできる。
原稿画像の画像データは、後述の画像形成部３００のレーザ露光部３０１へ送られ、画像形成部３００において原稿画像が記録用紙に印刷される。
【００３４】
〔画像形成部〕
画像形成部３００は、前記レーザ露光部３０１、現像部３０２、感光体ドラム３０３、クリーナ部３０４、帯電器３０５、中間転写ベルト部３０６、２次転写部３０７、定着部３０８、用紙搬送経路Ｓを備え、現像部３０２と感光体ドラム３０３とクリーナ部３０４と帯電器３０５とで画像ステーションが構成されている。
この画像形成部３００は、ブラック（Ｋ）、シアン（Ｃ）、マゼンタ（Ｍ）、イエロー（Ｙ）の各色のトナーを用いたカラー画像または単色（例えばブラック）のトナーを用いたモノクロ画像に対応するものであり、各色に応じた４種類の潜像およびトナー像を形成するための４つの画像ステーションＰａ、Ｐｂ、Ｐｃ、Ｐｄを備えている。
【００３５】
中間転写ベルト部３０６は、４つの画像ステーションＰａ、Ｐｂ、Ｐｃ、Ｐｄの上方に配置されており、中間転写ベルト３０６ａ、駆動ローラ３０６ｂ、従動ローラ３０６ｃ、各感光体３０３に対応する複数の転写ローラ３０６ｄおよびベルトクリーニング部３０６ｅを備えている。
駆動ローラ３０６ｂ、複数の転写ローラ３０６ｄ、従動ローラ３０６ｃ等は、中間転写ベルト３０６ａを各感光体ドラム３０３に接触する位置に張架して支持すると共に矢印Ｘ方向に周回移動させる。
中間転写ベルト３０６ａは、各感光体ドラム３０３の表面の各色のトナー像が順次重ねて転写されることによって、カラーのトナー像を形成する。
【００３６】
２次転写部３０７は、駆動ローラ３０６ｂに巻かれた中間転写ベルト３０６ａの外周面に圧接する２次転写ローラ３０７ａを有する。２次転写ローラ３０７ａは、駆動ローラ３０６ｂとの間のニップ域が定常的に得られるようにされている。
定着部３０８は、加熱ローラ３０８ａおよび加圧ローラ３０８ｂ等を備え、加熱ローラ３０８ａと加圧ローラ３０８ｂとで記録用紙を熱圧着することにより、記録用紙に転写されたトナー像を溶融、混合、圧接し、記録用紙に対して熱定着させる機能を有している。
【００３７】
〔給紙部〕
給紙部４００は、画像形成部３００の下方に配置されており、ケーシングＣの正面側へ引き出し可能に設けられた給紙トレイ４０１と、給紙トレイ４０１から記録用紙を１枚ずつ後述の用紙搬送経路Ｓに供給するピックアップローラ４０２とを備える。
【００３８】
〔排紙部〕
排紙部５００は、原稿読取部２００と画像形成部３００の間に配置されており、画像形成部３００にて印刷された記録用紙が排出される棚状の空間である。
【００３９】
〔その他の構成〕
ケーシングＣの内部には、給紙部４００の記録用紙を画像形成部３００を通して排紙部５００へ送るための用紙搬送経路Ｓが設けられている。
さらに、用紙搬送経路Ｓの近傍には、記録用紙の搬送を促進補助するための複数対の搬送ローラｒ１が所定間隔で配置されている。また、２次転写部３０７の下流側の用紙搬送経路Ｓには一対の用紙レジストローラｒ２が配置されている。
【００４０】
また、画像形成本体部Ａは、操作パネルａと、インタフェース部（Ｉ／Ｆ）ｂと、前記制御部ｃとを備えている。
操作パネルａは、前記複数の機能を選択し実行するための操作用のスイッチ、タッチパネル等から構成され、ケーシングＣの上面の正面側（手前側）に配置されている。
制御部ｃは、例えば、操作パネルａからの操作信号またはインタフェース部ｂを介してＰＣといった外部機器からの外部信号が入力される入力回路部と、画像形成本体部Ａおよび清浄化エアー放出部Ｂを制御するためのプログラムデータが書き込まれたメモリ部、操作信号または外部信号に基いて画像形成本体部Ａおよび清浄化エアー放出部Ｂを所定の状態に制御するための制御信号を出力する指令部と、指令部からの制御信号を画像形成本体部Ａおよび清浄化エアー放出部Ｂの各部に送信する出力回路部と、設定された所定時間に達すると指令部に信号を出力するタイマー部等を備える。
インタフェース部ｂは、外部機器からの信号を制御部ｃに転送する。
【００４１】
また、画像形成本体部Ａは、画像形成部３００を冷却する冷却ファンを備えると共に、ケーシングＣの後壁および側壁にフィルター付きの吸気口および排気口が形成されている。排気口のフィルターは、画像形成本体部Ａの内部で発生した排出ガスを吸着可能なものが好ましい。
【００４２】
〔画像形成本体部の動作〕
このように構成された画像形成本体部Ａによれば、各色に対応する感光体ドラム３０３の表面に形成された各色のトナー像は、回転する中間転写ベルト３０６に順に転写される。また、給紙部４００から記録用紙が用紙搬送経路Ｓを通って２次転写部３０７へ送られる。
そして、２次転写部３０７において、上述のように中間転写ベルト３０６に形成されたカラートナー像が記録用紙に２次転写され、その後、定着部３０８においてカラートナー像が記録用紙に定着され、カラートナー像が定着した記録用紙が排紙部５００へフェイスダウンで排出される。
【００４３】
＜清浄化エアー放出部の説明＞
図３は本発明の実施形態１における清浄化エアー放出部を示す側断面図である。図４は本発明の実施形態１における清浄化エアー放出部から放出された清浄化エアーの流れを示す図である。以下、図１〜図４を参照しながら清浄化エアー放出部Ｂについて説明する。
清浄化エアー放出部Ｂは、ダクト体１０と、ダクト体１０内に配置された送風ファン２０とイオン発生器３０と攪乱部材４０と、送風ファン２０を正逆回転させるモータ５０と、ダクト体１０およびモータ５０を覆う外装ケース６０とを有している。
【００４４】
〔ダクト体〕
ダクト体１０は、前壁１１、後壁１２および左右側壁から構成された左右方向に長い筒状体であり、その内部にダクト１０ａを有すると共に、ダクト１０ａの上端および下端に相互に連通する第１ダクト口１０ｂおよび第２ダクト口１０ｃを有している。
ダクト１０ａは、前壁１１および後壁１２の上下端部が前方へ湾曲することによる湾曲形状であって、第１ダクト口１０ｂから前方斜め上にまたは第２ダクト口１０ｃから前方斜め下に清浄化エアーを放出できる湾曲形状に形成されている。
【００４５】
また、第１ダクト口１０ｂおよび第２ダクト口１０ｃは、画像形成本体部の正面に対する左右方向の長さが等しく、左右方向の長さに対する幅が異なった大きさに形成されている。
具体的には、第１ダクト口１０ｂの幅Ｗ１は、第２ダクト口１０ｃの幅Ｗ２よりも狭く、例えば、幅Ｗ１は50〜60ｍｍ程度であり、幅Ｗ２は65〜80ｍｍ程度である。
【００４６】
また、ダクト体１０は、第１ダクト口１０ｂと第２ダクト口１０ｃの間にある前壁１１の垂直部分に、外気をダクト体１０内（ダクト１０ａ）に吸引するための吸引口１０ｄと、吸引口１０ｄの外側周囲部に取り付けられたフィルター１３とを有している。
この吸引口１０ｄは、イオン発生器３０よりもやや大きいサイズで、かつ前壁１１の左右中間位置に形成されており、その下端縁にはイオン発生器３０を設置するために前方へ突出する突出片１１ａが前壁１１に連設されている。
【００４７】
〔送風ファン〕
送風ファン２０は、左右方向に長い軸部２１と、軸部２１に放射状にかつ軸方向に沿って一体状に設けられた複数のブレード２２とを有し、軸部２１の一端はモータ５０の駆動軸に連結され、他端はダクト体１０の側壁に回転可能に枢着されている。
また、送風ファン２０は、ダクト１０ａにおける吸引口１０ｄよりも第２ダクト口１０ｃ側の位置に配置されている。
清浄化エアー放出部Ｂは、送風ファン２０が矢印Ａ方向に正回転することにより、外気を第２ダクト口１０ｃからダクト体１０内に流入させ、第１ダクト口１０ｂから清浄化エアーを放出する。このときの空気の流れを点線矢印Ｆ１で表している。
また、清浄化エアー放出部Ｂは、送風ファン２０が矢印Ｂ方向に逆回転することにより、外気を第１ダクト口１０ｂからダクト体１０内に流入させ、第２ダクト口１０ｃから清浄化エアーを放出する。このときの空気の流れを点線矢印Ｆ２で表している。
【００４８】
〔イオン発生器〕
イオン発生器３０は、ダクト体１０の突出片１１ａ上に固定されることにより、ダクト体１０の外側であり、吸引口１０ｄの近傍位置であり、ダクト１０ａの湾曲形状の内側であり、かつ送風ファン２０よりも第１ダクト口１０ｂ側の位置に配置されている。
イオン発生器３０は、プラズマ放電により空気中の酸素および水蒸気を電離して、プラスイオンであるＨ+（Ｈ2Ｏ）n（ｎは自然数）およびマイナスイオンであるＯ2-（Ｈ2Ｏ）m（ｍは自然数）を発生させる、所謂プラズマクラスターイオン発生器である（例えば、特開２００９−６６０７３号公報参照）。
【００４９】
このイオン発生器３０は、図を省略して説明すると、絶縁基板と、絶縁基板を貫通して一面側に先端が突出する針状の正電極および負電極と、絶縁基板の一面側に対向状に設けられた板状の接地電極とを有する。
接地電極は、正電極および負電極を中心とする一対の丸孔を有すると共に、絶縁基板に固定される脚部を周囲部の複数箇所に有しており、接地電位に接続される。
一方、絶縁基板の他面側に突出する正電極の基端には正極の高電圧が印加され、絶縁基板の他面側に突出する負電極の基端には負極の高電圧が印加される。
【００５０】
正電極および負電極にそれぞれ高電圧が印加されると、接地電極の丸孔の縁部分が強電界になり、接地電極からプラズマ放電が発生し、プラズマ放電により空気中の酸素および水蒸気が電離してイオンが発生する。このとき、電極の形状および印加電圧の最適化により、有害物質とされるオゾンの発生を極力抑えることができる。
プラズマ放電により、接地電極の丸孔の正電極側からプラスイオンであるＨ+（Ｈ2Ｏ）nが安定的に放出され、接地電極の丸孔の負電極側からマイナスイオンであるＯ2-（Ｈ2Ｏ）mが安定的に放出される。
【００５１】
イオン発生器３０にて発生したＨ+（Ｈ2Ｏ）nおよびＯ2-（Ｈ2Ｏ）mのイオンは、化学反応して活性種であるＨ2Ｏ2または・ＯＨを生成する。Ｈ2Ｏ2または・ＯＨは、極めて強力な活性を示すため、これらの活性種によって空気中の浮遊粒子および浮遊菌等の浮遊物質を取り囲んで除去することができる。ここで、・ＯＨは活性種の一種であり、ラジカルのＯＨを示している。
Ｈ+（Ｈ2Ｏ）nおよびＯ2-（Ｈ2Ｏ）mからのＨ2Ｏ2または・ＯＨの生成は、次の化学式（１）〜（３）で表される。
Ｈ+（Ｈ2Ｏ）n＋Ｏ2-（Ｈ2Ｏ）m
→  ・ＯＨ＋１／２Ｏ2＋（ｍ＋ｎ）Ｈ2Ｏ  ・・・（１）
Ｈ+（Ｈ2Ｏ）n＋Ｈ+（Ｈ2Ｏ）n′＋Ｏ2-（Ｈ2Ｏ）m＋Ｏ2-（Ｈ2Ｏ）m′
→  ２・ＯＨ＋Ｏ2＋（ｍ＋ｍ′＋ｎ＋ｎ′）Ｈ2Ｏ  ・・・（２）
Ｈ+（Ｈ2Ｏ）n＋Ｈ+（Ｈ2Ｏ）n′＋Ｏ2-（Ｈ2Ｏ）m＋Ｏ2-（Ｈ2Ｏ）m′
→  Ｈ2Ｏ2＋Ｏ2＋（ｍ＋ｍ′＋ｎ＋ｎ′）Ｈ2Ｏ  ・・・（３）
【００５２】
〔攪乱部材〕
図５は本発明の実施形態１における攪乱部材を説明する図であって、図５（Ａ）は斜視図であり、図５（Ｂ）は図５（Ａ）のＡ−Ａ線断面図であり、図５（Ｃ）は図５（Ａ）のＢ−Ｂ線断面図である。
図３に示すように、攪乱部材４０は、ダクト本体１０内における送風ファン２０よりも第２ダクト口１０ｃ側に配置されおり、第２ダクト口１０ｃより僅かに短い長さで形成された断面円弧状の板状部材である。
図３および図５（Ａ）に示すように、攪乱部材４０は、同じ大きさの長方形の開口部４１ａ、４１ｂを複数有し、断面円弧状の凹みがダクト体１０の内部へ向けられるよう、両端が例えばビス止めにてダクト体１０に取り付けられている。
【００５３】
複数の開口部４１ａ、４１ｂは、例えば、次のように構成されている。
複数の開口部４１ａ、４１ｂは、長手方向に２列で並列しており、各列の開口部４１ａ、４１ｂは所定個ずつ（この場合３個ずつ）隣接してグループＩとＩＩにグループ分けされている。さらに、一方の列のグループＩまたはＩＩが、他方の列のグループＩＩまたはＩと隣接するように配置されている。
さらに、図５（Ｂ）および（Ｃ）に示すように、グループＩの開口部４１ａとグループＩＩの開口部４１ｂは、それらの長辺部分の内壁面が長手方向に逆向きに傾斜している。
【００５４】
そのため、グループＩの開口部４１ａを通過した気流とグループＩＩの開口部４１ｂを通過した気流は相互に左右逆向きの斜め方向に流れ、この結果、外部からダクト体１０内に流入する空気またはダクト体１０内から外部へ放出される空気の流れが攪乱される。
なお、攪乱部材４０は、画像形成装置の正面側に開口する第２ダクト口１０ｃ内へ人の手が入り込むのを防止する安全柵としても機能する。
【００５５】
〔外装ケース〕
外装ケース６０は、例えば、ダクト体１０の前壁１１を覆う第１部材６１と、ダクト体１０の後壁１２と左右側壁およびモータ５０を覆う第２部材６２とを有し、第１および第２部材６１、６２はダクト体１０にビス止めされている。
第１部材６１は、イオン発生器３０の近傍に形成されてダクト体１０の吸引口１０ｄと連通する外気取り入れ口６１ａと、外気取り入れ口６１ａに設けられたフィルター１４とを有している。
【００５６】
フィルター１４は、第１部材６１の内側の外気取り入れ口６１ａの周囲部に取り付けられている。
また、外気取り入れ口６１ａは、外部の物または人の指がフィルター１４と接触しないように複数の小孔から構成されている。
なお、実施形態１では、外装ケース６０の第１部材６１の左右方向の２箇所に外気取り入れ口６１ａが配置されており（図２参照）、吸引口１０ｄもダクト体１０の前壁１１の２箇所に配置され、イオン発生器３０も２個設けられた場合を例示しているが、これらの数は特に限定されるものではない。
【００５７】
〔その他の構成〕
清浄化エアー放出部Ｂは、外装ケース６０の前壁６１に表示部７０が設けられている。この表示部７０は、縦に並んだ複数のＬＥＤからなり、各色のＬＥＤは清浄化エアー放出部Ｂの動作状態を示す。
例えば、第１ダクト口１０ｂから清浄化エアーが放出しているときは上のＬＥＤが点灯し、第２ダクト口１０ｃから清浄化エアーが放出しているときは下のＬＥＤが点灯し、停止しているときは中間のＬＥＤが点灯する。これらのＬＥＤは発光色を異ならせてもよい。
さらに、累積運転時間が所定時間に達するとフィルター１３、１４やイオン発生器３０の清掃といったメンテナンスの時期を知らせるためのＬＥＤが設けられていてもよい。
【００５８】
また、清浄化エアー放出部Ｂのイオン発生器３０、モータ５０および表示部７０は、画像形成本体部Ａの制御部ｃと信号線を介して電気的に接続されており、制御部ｃによって制御される。なお、イオン発生器３０、モータ５０および表示部７０は、画像形成本体部Ａの図示しない電源部から電力線を介して電力が供給される。
この場合、清浄化エアー放出部Ｂ側の信号線および電力線と、画像形成本体部Ａ側の信号線および電力線とを、コネクタ方式にて着脱可能に接続するようにすれば、画像形成本体部Ａに支持部材８０と清浄化エアー放出部Ｂを容易に組み付けることができる。また、信号線および電力線を円筒状の支持部材８０内に挿通させれば、それらを保護できる上に外観の見栄えがよくなる（図１０参照）。
【００５９】
〔清浄化エアー放出部の取り付け構造〕
図１〜図３に示すように、清浄化エアー放出部Ｂは、画像形成本体部Ａの上方かつ正面とは反対側の後方位置に、円筒状の支持部材８０を介して画像形成本体部Ａに取り付けられている。
より具体的に説明すると、例えば、画像形成本体部ＡのケーシングＣの上面の後方右側位置には、支持部材８０の下端を挿入するための挿入孔部が設けられ、一方、清浄化エアー放出部Ｂの外装ケース６０の第２部材６２の右側部分には、支持部材８０の上端を挿入するための挿入孔部が設けられている。また、画像形成本体部Ａと清浄化エアー放出部Ｂの各挿入孔部に挿入された支持部材８０の上下端部は、ビス止めにて固定される。
【００６０】
このように支持部材８０にて画像形成本体部Ａに片持ち梁状に取り付けられた清浄化エアー放出部Ｂは、第１ダクト口１０ｂを上部位置に有し、かつ第２ダクト口１０ｃを正面位置に有し、第１ダクト口１０ｂからの清浄化エアーの放出による画像形成本体部Ａの遠方の空気浄化と、第２ダクト口１０ｃからの清浄化エアーの放出による画像形成本体部Ａの近傍の空気浄化に切り替え可能に構成されている。
なお、清浄化エアー放出部Ｂと画像形成本体部Ａとを接続する信号線および電力線を円筒状の支持部材８０の内部に挿通させることにより、これらを保護できる上見栄えがよくなるため好ましい。
【００６１】
〔清浄化エアー放出部の動作および作用について〕
図６は本発明の実施形態１における清浄化エアー放出部の動作フローの一例を説明するフローチャート図である。なお、図６において、『Ｙ』はＹＥＳを意味し、『Ｎ』はＮＯを意味する。
図６に示すように、清浄化エアー放出部Ｂは、画像形成本体部Ａに連動するよう予め制御部ｃにプログラムされており、制御部ｃにて制御される。
以下、図１〜図５を参照しながら、清浄化エアー放出部Ｂの動作フローの一例を図６に沿って説明する。図６は、画像形成本体部Ａの電源スイッチをオンした後の動作を示すフローである。
【００６２】
まず、ステップＳ１において画像形成本体部Ａの初期化を開始すると、清浄化エアー放出部Ｂのイオン発生器３０がオフ状態（停止状態）からオン状態（駆動状態）に切り替わる（ステップＳ２）。
次いで、制御部ｃのタイマー部がタイマーＴ１値にセットされ（ステップＳ３）、タイマーＴ１がスタートし（ステップＳ４）、清浄化エアー放出部Ｂの送風ファン２０が矢印Ｂ方向に逆回転する（ステップＳ５）。
【００６３】
送風ファン２０が逆回転することにより、点線矢印Ｆ２で示すように、外気が第１ダクト口１０ｂからダクト１０ａ内に流入し、プラスイオンとマイナスイオンがダクト１０ａ内の空気と混合して清浄化エアーが生成され、清浄化エアーは攪乱部材４０を通って第２ダクト口１０ｃから外部へ放出される。
このとき、ダクト１０ａが後方へ湾曲しているため、ダクト１０ａの内側（前側）の気圧が外側（後側）の気圧よりも低くなり、点線矢印Ｆ３で示すように、外気取り入れ口６１ａの近傍の外気が外気取り入れ口６１ａを通ってイオン発生器３０の周囲に流入し、この外気からイオン発生器３０によってプラスイオンとマイナスイオンが生成され、プラスイオンとマイナスイオンがダクト１０ａ内に流入する。
【００６４】
また、攪乱部材４０の開口部４１ａを通過した清浄化エアーと開口部４１ｂを通過した清浄化エアーが衝突して気流が攪乱するため、プラスイオンとマイナスイオンが均一に分散した清浄化エアーが第２ダクト口１０ｃから外部へ放出される。
図１および図４に示すように、第２ダクト口１０ｃから放出された清浄化エアーは、画像形成本体部Ａの上部および正面側に流れるため、画像形成本体部Ａの原稿供給部１００の開閉用把持部、操作パネルａ、ケーシングＣ等を除菌すると共に、画像形成本体部Ａの近傍エリアの空気の除菌や消臭を行う。
【００６５】
ステップＳ５の後、タイマーＴ１に達したか判断され、達していないと判断された場合はステップ６が繰り返し実行され、達したと判断された場合は、送風ファン２０の矢印Ｂ方向の逆回転が、矢印Ａ方向の正回転に切り替えられる（ステップＳ７）。
これにより、点線矢印Ｆ１で示すように、外気が第２ダクト口１０ｃから攪乱部材４０を通ってダクト１０ａ内に流入し、プラスイオンとマイナスイオンがダクト１０ａ内の空気と混合して清浄化エアーが生成され、清浄化エアーは第１ダクト口１０ｂから外部へ放出される。
このとき、外気が攪乱部材４０を通過することにより、攪乱した流れの外気がダクト１０ａ内に流入するため、ダクト１０ａ内の空気中にプラスイオンとマイナスイオンが均一に分散する。
【００６６】
また、第１ダクト口１０ｂは幅Ｗ１が狭いため、図１および図４に示すように、清浄化エアーが第１ダクト口１０ｂから前方の斜め上方に向かって勢いよく放出され、清浄化エアーは室内の天井Ｈに沿って流れて画像形成本体部Ａから離れた遠方エリアの空気の除菌および消臭を行う。
なお、タイマーＴ１値は、画像形成本体部Ａの電源スイッチをオンして作動可能になるまでのウォーミングアップタイム（例えば、２０秒〜９０秒間）と同じ程度が好ましいが、それ以上でも可である。
【００６７】
ステップＳ７の後、ユーザーによる画像形成本体部Ａの操作があったか判断される（ステップＳ８）。ここで、『操作』とは、画像形成本体部Ａによる原稿のコピー、外部機器から出力した画像データを画像形成本体部Ａにより印刷する、画像形成本体部Ａにて読み取った原稿画像を外部機器に転送するまたはファクシミリ送信する等、画像形成本体部Ａを作動させるための操作を意味する。
操作がなかったと判断された場合はステップＳ１３に移行し、操作があったと判断された場合は、タイマー部がタイマーＴ１値にセットされ（ステップＳ９）、タイマーＴ１がスタートし（ステップＳ１０）、清浄化エアー放出部Ｂの送風ファン２０の矢印Ａ方向の正回転が矢印Ｂ方向の逆回転に切り替えられる（ステップＳ１１）。
これにより、ステップＳ１と同様に、清浄化エアーが第２ダクト口１０ｃから画像形成本体部Ａおよびその近傍の近傍エリアに放出されて除菌および消臭が行われる。
ステップＳ１１の後、タイマーＴ１に達したか判断され、達していないと判断された場合はステップＳ１２が繰り返し実行され、達したと判断された場合は、ステップＳ７に移行する。
【００６８】
ステップＳ１３では、画像形成本体部Ａの電源スイッチがオンであるか判断され、オンであると判断された場合はステップＳ８に移行し、オンでない（オフである）と判断された場合は、タイマー部がタイマーＴ２値にセットされ（ステップＳ１４）、タイマーＴ２がスタートする（ステップＳ１５）。
なお、タイマーＴ２値としては、例えば、１０〜３０分間が適当である。
ステップＳ１５の後、タイマーＴ２に達したか判断され、達していないと判断された場合はステップＳ１６が繰り返し実行され、達したと判断された場合は、清浄化エアー放出部Ｂのイオン発生器３０がオフし（ステップＳ１７）、送風ファン２０がオフし（ステップＳ１８）、動作フローが終了する。
【００６９】
このように、この画像形成装置によれば、画像形成本体部Ａの状態に応じて、送風ファン２０を正回転と逆回転のいずれかに切り替えることにより、外気を第１ダクト口１０ｂまたは第２ダクト口１０ｃからダクト体１０内に導入し、かつイオン発生器３０によってダクト体１０内で発生させたイオンを含む清浄化エアーを第２ダクト口１０ｃまたは第１ダクト口１０ｂから外部へ放出するように構成されている。
特に、画像形成本体部Ａの作動前、作動中および作動後の少なくとも１つ以上のときに、第２ダクト口１０ｃから画像形成本体部Ａの近傍エリアに清浄化エアーを放出して除菌および消臭を行うことにより、清潔な画像形成本体部Ａをユーザーが使用でき、かつ画像形成本体部Ａからの臭気によって周辺に居る人に不快感を与えることを効果的に抑制することができる。また、画像形成本体部Ａのオン時におけるそれ以外のときには、画像形成本体部Ａから離れた広いエリアの除菌および消臭を行うことができるため、空気清浄機を別途設置した場合と同様の室内の浄化効果が得られる。
【００７０】
（実施形態２）
図７は本発明に係る画像形成装置の実施形態２を示す概略右側面図である。なお、図７において、図１〜図５中の要素と同様の要素には同一の符号を付している。
実施形態１では画像形成本体部Ａの上面の後方位置に、清浄化エアー放出部Ｂを支持する支持部材８０を立設した場合を例示したが、実施形態２における画像形成本体部Ａ２はその前後方向の幅が実施形態１よりも狭いため、画像形成本体部Ａ２の上面は支持部材８０を立設するスペースを有していない。
したがって、実施形態２の場合、ケーシングＣ２の後面６００の上部に、支持部材８０の下端を支持する突出部６０１が設けられている。
実施形態２において、その他の構成は実施形態１と同様である。
【００７１】
（実施形態３）
図８は本発明に係る画像形成装置の実施形態３を示す部分的な斜視図である。なお、図８において、図１〜図５中の要素と同様の要素には同一の符号を付している。
実施形態３の場合、支持部材８０の上端に取り付けられた清浄化エアー放出部Ｂを設置するための設置台９０を備えている。
この設置台９０は、支持部材８０の上端と接合するベアリング部９０ａを下面の中央位置に有しているため、支持部材８０を軸として３６０°回転可能（首振り可能）である。
したがって、設置台９０に設置された清浄化エアー放出部Ｂも、支持部材８０を軸として３６０°回転可能である。
【００７２】
この結果、第２ダクト口１０ｃから放出する清浄化エアーによって、画像形成本体部Ａの正面側の近傍エリアだけでなく、画像形成本体部Ａの左右側面側および後面側の近傍エリアをも浄化することが可能となる。
一方、第１ダクト口１０ｂから放出する清浄化エアーによって、画像形成本体部Ａの正面側の遠方エリアだけでなく、画像形成本体部Ａの左右側面側および後面側の遠方エリアをも浄化することが可能となる。
実施形態３において、その他の構成は実施形態１と同様である。
【００７３】
（実施形態４）
図９は本発明に係る画像形成装置の実施形態４を示す概略右側面図である。なお、図９において、図１〜図５中の要素と同様の要素には同一の符号を付している。
実施形態５において、画像形成本体部Ａ３は机Ｄ上に設置されるプリンタである。このプリンタはその上面に排紙部を有し、印刷された記録用紙は排紙部に排出される。
この場合、画像形成本体部Ａ３のケーシングＣ３の後面７００に、支持部材８０の下端を支持する突出部７０１が設けられている。
実施形態４において、その他の構成は実施形態１と同様である。
【００７４】
（実施形態５）
図１０は本発明に係る画像形成装置の実施形態５を示す概略右側面図である。なお、図１０において、図１〜図５中の要素と同様の要素には同一の符号を付している。
実施形態５の場合、支持部材８０を立設しかつ画像形成本体部Ａ４を設置するための基台８００を備えている。
基台８００は、その上面の後方位置に支持部材８０の下端を挿入して固定するための短筒部８０１を有している。
実施形態５において、その他の構成は実施形態４と同様である。
【００７５】
（他の実施形態）
１．実施形態１、２、４および５において、清浄化エアー放出部Ｂを垂直軸心廻りに首振り可能としてもよい。この場合、実施形態３のように設置台９０を備えた構成でもよいが、清浄化エアー放出部Ｂの外装ケース６０の下面の左右中央位置に直接ベアリング部を設けて首振りできるようにしてもよい。
なお、画像形成本体部は、左右側面に排紙部、給紙トレイ、紙詰まりした記録用紙を取り出すための開閉扉等が設けられるため、左右側面側に支持部材を立設することは好ましくない。
２．清浄化エアー放出部Ｂの第１ダクト口１０ｂにストライプ状または格子状の安全柵または網を設けることにより、第１ダクト口１０ｂからダクト１０ａ内に誤って物（例えば、ペンや定規等の文房具）が落ちて送風ファン２０が破損するのを防止できるようにしてもよい。
３．実施形態１では送風ファン２０としてクロスフローファンを用いた場合を例示したが、ジェットファンを用いてもよい。この場合、遠方エリアおよび近傍エリアに清浄化エアーを送風できるように、ダクト体の形状、第１・第２ダクト口の位置等を考慮する。
【００７６】
４．実施形態１では左右方向に長い横型の清浄化エアー放出部を例示したが、上下方向に長い縦型の清浄化エアー放出部を画像形成本体部に取り付けてもよい。この場合、遠方エリアおよび近傍エリアに清浄化エアーを送風できるように、ダクト体の形状、第１・第２ダクト口の位置、画像形成本体部への取り付け位置等を考慮する。
５．実施形態１の動作フローにおいて、例えば、画像形成本体部Ａの電源スイッチはオンであり、画像形成本体部Ａの操作が所定時間以上ない場合は、操作されるまで、あるいは一定時間経過するまで清浄化エアー放出部を休止状態にしてもよい。また、清浄化エアーの第１ダクト口１０ｂまたは第２ダクト口１０ｃからの放出を、単に一定時間毎に切り替えるようにしてもよく、さらには操作パネルａによる操作によって任意に選択できるようにしてもよく、さらには一定時間の休止状態を挟んでもよい。
６．清浄化エアー放出部Ｂをオプション装備として後付けできるようにしてもよい。
【符号の説明】
【００７７】
１０  ダクト体
１０ａ  ダクト
１０ｂ  第１ダクト口
１０ｃ  第２ダクト口
１０ｄ  吸引口
１３、１４  フィルター
２０  送風ファン
３０  イオン発生器
４０  攪乱部材
６０  外装ケース
６１ａ  外気取り入れ口
８０  支持部材
Ａ  画像形成本体部
Ｂ  清浄化エアー放出部
ａ  操作パネル
ｃ  制御部
【図１】
2011059409.tif 000003
【図２】
2011059409.tif 000004
【図３】
2011059409.tif 000005
【図４】
2011059409.tif 000006
【図５】
2011059409.tif 000007
【図６】
2011059409.tif 000008
【図７】
2011059409.tif 000009
【図８】
2011059409.tif 000010
【図９】
2011059409.tif 000011
【図１０】
2011059409.tif 000012